(57)【要約】【課題】フレキシブル基板によって電気的に連結された第一電子部品部と第二電子部品部間を所定の遊びを設けた状態で一体に結合する構造の電子部品であってもその厚みの薄型化を図ることができる電子部品を提供する。【解決手段】  ケース５５０に位置決めされる電子部品本体部（第一電子部品部）２０と基板５００に位置決めされる端子部（第二電子部品部）７０とをフレキシブル基板１００で電気的に連結すると共に、電子部品本体部２０と端子部７０間を所定の遊びを設けた状態で一体に係合してなる電子部品１０である。電子部品本体部２０は、端子部７０内に設けた第一電子部品部収納部９１内に収納され所定の遊びを設けた状態で端子部７０と一体に係合される。【選択図】図５
2006012513.tif 000002
【特許請求の範囲】
【請求項１】
それぞれ別の位置決め部材に位置決めされる第一電子部品部と第二電子部品部とをフレキシブル基板で電気的に連結すると共に、前記第一電子部品部と第二電子部品部間を所定の遊びを設けた状態で一体に係合してなる電子部品において、
前記第一電子部品部は、前記第二電子部品部に設けた第一電子部品部収納部内に収納され所定の遊びを設けた状態で第二電子部品部と一体に係合されていることを特徴とする電子部品。
【請求項２】
前記第一電子部品部は、前記フレキシブル基板にケースを取り付けると共に、ケース内に機能部品を収納してなる電子部品本体部であり、
前記第二電子部品部は、前記フレキシブル基板に端子を接続したものを端子固定ケースに固定してなる端子部であることを特徴とする請求項１に記載の電子部品。
【請求項３】
それぞれ別の位置決め部材に位置決めされる第一電子部品部と第二電子部品部とをフレキシブル基板で電気的に連結すると共に、前記第一電子部品部と第二電子部品部間を所定の遊びを設けた状態で一体に係合してなる電子部品において、
前記第一電子部品部と第二電子部品部間の係合機構は、前記第一電子部品部と第二電子部品部の対向面の略中央部分に設けられていることを特徴とする電子部品。
【請求項４】
前記第一電子部品部は、前記フレキシブル基板にケースを取り付けると共に、ケース内に機能部品を収納してなる電子部品本体部であり、
前記第二電子部品部は、前記フレキシブル基板に端子を接続したものを端子固定ケースに固定してなる端子部であることを特徴とする請求項３に記載の電子部品。
【発明の詳細な説明】
【技術分野】
【０００１】
本発明は、基板とケース等の異なる二つの部材に対してそれぞれ容易に位置決め・設置することができる電子部品に関するものである。
【背景技術】
【０００２】
従来、揺動式電子部品等の電子部品の中には、この電子部品を基板上に固定し、一方電子部品の上面から突出する操作レバーを基板の上方に設置したケースの開口から露出し、さらにこのケースの開口を介して前記操作レバーにケースの上面側から操作つまみを取り付ける場合があった。
【０００３】
しかしながら上記従来例においては、基板とケースの位置が、両者間の組み立て誤差などによってずれることがあり、その場合、ケースに対して操作つまみが精度良く位置決めされた位置に設置できず、最悪の場合、例えば操作つまみを揺動した際に操作つまみがケースの開口の内周辺に接触して操作つまみの揺動ができなくなってしまうという問題があった。
【０００４】
これを解決するには、特許文献１の図１に示すように、電子部品本体部（電子部品用ケース）４０と端子部（外部端子部）６０とをフレキシブル基板１０によって連結すればよい。このように構成すれば、例えば端子部６０を取り付ける基板と、電子部品本体部４０を取り付けるケースとの位置がずれていても、そのずれはフレキシブル基板１０の撓みが吸収し、電子部品本体部４０及び端子部６０の両者をそれぞれ正確にケースと基板に取り付けることができる。
【０００５】
一方基板やケース等への組付けの容易性などの観点から電子部品本体部と端子部とを一体化しておきたい場合は、電子部品本体部と端子部間を上下に重ね合わせて所定の遊びを設けた状態で一体に係合すれば良い。
【０００６】
しかしながら電子部品本体部４０と端子部６０間を上下に重ね合わせて係合する構造の電子部品の場合、両者それぞれの厚みを加算した厚み以上にはその厚みの薄型化が図れないという問題点が生じる。
【０００７】
一方電子部品本体部４０と端子部６０間を一体に連結する連結手段が、電子部品本体部４０や端子部６０の外方に張り出す場合、電子部品全体の外形寸法の小型化が阻害されるという問題が生じる。
【特許文献１】特開２００３−１７４２６６号公報
【発明の開示】
【発明が解決しようとする課題】
【０００８】
本発明は上述の点に鑑みてなされたものでありその目的は、フレキシブル基板によって電気的に連結された第一電子部品部と第二電子部品部間を所定の遊びを設けた状態で一体に係合する構造の電子部品であってもその厚み又は外形の薄型化又は小型化を図ることができる電子部品を提供することにある。
【課題を解決するための手段】
【０００９】
本願請求項１に記載の発明は、それぞれ別の位置決め部材に位置決めされる第一電子部品部と第二電子部品部とをフレキシブル基板で電気的に連結すると共に、前記第一電子部品部と第二電子部品部間を所定の遊びを設けた状態で一体に係合してなる電子部品において、前記第一電子部品部は、前記第二電子部品部に設けた第一電子部品部収納部内に収納され所定の遊びを設けた状態で第二電子部品部と一体に係合されていることを特徴とする電子部品にある。
【００１０】
本願請求項２に記載の発明は、前記第一電子部品部は、前記フレキシブル基板にケースを取り付けると共に、ケース内に機能部品を収納してなる電子部品本体部であり、前記第二電子部品部は、前記フレキシブル基板に端子を接続したものを端子固定ケースに固定してなる端子部であることを特徴とする請求項１に記載の電子部品にある。
【００１１】
本願請求項３に記載の発明は、それぞれ別の位置決め部材に位置決めされる第一電子部品部と第二電子部品部とをフレキシブル基板で電気的に連結すると共に、前記第一電子部品部と第二電子部品部間を所定の遊びを設けた状態で一体に係合してなる電子部品において、前記第一電子部品部と第二電子部品部間の係合機構は、前記第一電子部品部と第二電子部品部の対向面の略中央部分に設けられていることを特徴とする電子部品にある。
【００１２】
本願請求項４に記載の発明は、前記第一電子部品部は、前記フレキシブル基板にケースを取り付けると共に、ケース内に機能部品を収納してなる電子部品本体部であり、前記第二電子部品部は、前記フレキシブル基板に端子を接続したものを端子固定ケースに固定してなる端子部であることを特徴とする請求項３に記載の電子部品にある。
【発明の効果】
【００１３】
請求項１に記載の発明によれば、第一電子部品部と第二電子部品部間を、第二電子部品部に設けた第一電子部品部収納部内に第一電子部品部を収納して所定の遊びを設けた状態で一体に係合したので、電子部品の薄型化が図れる。
【００１４】
請求項２に記載の発明によれば、第一電子部品部が機能部からなる電子部品本体部であり、第二電子部品部が電気的接続部からなる端子部であるので、簡単な構造をもって電子部品の薄型化・小型化を図ることができる。
【００１５】
請求項３に記載の発明によれば、第一電子部品部と第二電子部品部間の係合機構を、第一電子部品部と第二電子部品部の対向面の略中央部分に設けたので、両者をその外周辺近傍で係合する場合に比べ、外形寸法の小型化が図れる。
【００１６】
請求項４に記載の発明によれば、第一電子部品部が機能部からなる電子部品本体部であり、第二電子部品部が電気的接続部からなる端子部であるので、簡単な構造をもって電子部品の薄型化・小型化を図ることができる。
【発明を実施するための最良の形態】
【００１７】
以下、本発明の実施形態を図面に基づいて詳細に説明する。
〔第一実施形態〕
図１は本発明の第一実施形態にかかる電子部品（以下「揺動式電子部品」という）１０を展開して示す図であり、図１（ａ）は平面図、図１（ｂ）は側断面図（図１（ａ）のＡ−Ａ概略断面図）である。同図に示すようにこの揺動式電子部品１０は、機能部品を収納してなる第一電子部品部（以下「電子部品本体部」という）２０と第二電子部品部（以下「端子部」という）７０とをフレキシブル基板１００によって連結して構成されている。以下各構成部分について説明する。
【００１８】
電気回路を伴うフレキシブル基板１００は、その一方側の機能パターン形成部１１０と、他方側の端子接続パターン形成部１３０との間を、連結部１５０で連結して構成されている。機能パターン形成部１１０上面の所定の複数ヶ所には、機能パターン形成部１１０上に設けられたスイッチパターン上に反転板（可動接点板）１０３を取り付けることでスイッチ１０１が形成されている。また機能パターン形成部１１０にはケース３０が成形されている。ケース３０は機能パターン形成部１１０の下面を覆う下面部３１と外周側面を覆う側面部３３とを具備し、これによって機能パターン形成部１１０の上部に収納部３５を形成している。さらにケース３０の下面部３１の側面部３３よりも外周に張り出している部分の上面両側からは、それぞれ二本ずつの上方に凸となる平板突起状の係合片３７が突設され、その上面を係合面３９としている。さらにケース３０の外側の１８０°対向する位置には上方向に向けて開口する二つの位置決め部４１，４３が設けられている。位置決め部４１は円形の穴で、位置決め部４３は略矩形状の溝である。両位置決め部４１，４３の底面４１ａ，４３ａは、ケース３０の下面部３１の底面よりも所定寸法上方向に位置している。
【００１９】
そしてケース３０の収納部３５内には、揺動式電子部品を構成する各種機能部品、具体的にこの実施形態では揺動部材４５とスイッチ作動部材５０とが収納され、さらにケース３０の上面はカバー６０によって覆われている。ここでスイッチ作動部材５０はその中央に前記揺動部材４５の操作部（レバー）４７を貫通する開口５１を有し、またその下面には周状に等間隔に四つ（図では二つのみ示す）の押圧部５３を設けて構成されている。一方揺動部材４５はその上部に操作部４７を、その下端に押圧部４９を設けて構成されている。そしてスイッチ作動部材５０の開口５１に、その下側から揺動部材４５の操作部４７を挿入したものをケース３０内に収納し、その上をカバー６０で覆う。このとき各押圧部５３，４９は、何れもスイッチ１０１上に位置している。そして揺動部材４５を真下に向けて押圧すれば揺動部材４５のみが下降し、その押圧部４９がこれに対向するスイッチ１０１をオンする。一方揺動部材４５の操作部４７を揺動すればこれと一体にスイッチ作動部材５０も揺動し、揺動して下降した側の押圧部５３がこれに対向するスイッチ１０１をオンする。
【００２０】
一方フレキシブル基板１００の端子接続パターン形成部１３０上には、並列に六つの図示しない端子接続パターンが設けられ、これら端子接続パターン上に金属板製の端子１７０の一端を当接すると同時に、この接続部を内蔵するようにその周囲に成形樹脂製の端子固定ケース９０を成形することで、端子部７０が構成されている。ここで端子固定ケース９０はリング状の側壁７１の中央に前記電子部品本体部２０を収納する貫通孔からなる第一電子部品部収納部（以下「電子部品本体部収納部」という）９１を設け、その対向する両側辺の前記電子部品本体部２０に設けた各係合片３７に対応する位置に二本ずつの係合部材９３を下向きに設け、また二本ずつの係合部材９３，９３の間の位置に係合部材９３とは逆方向に突出する係止爪９５を設けて構成されている。係合部材９３は、端子固定ケース９０の電子部品本体部収納部９１側の側壁７１の内壁に位置するように設けられている。
【００２１】
また端子固定ケース９０の側壁７１の前記電子部品本体部２０に設けた一方の位置決め部４１に対向する位置には、側壁７１を切り欠いてなる位置決め部当接面７３が設けられ、また側壁７１の前記電子部品本体部２０に設けた他方の位置決め部４３に対向する位置には、側壁７１から電子部品本体部収納部９１側に平板状に張り出してなる位置決め部当接面７５（図１（ａ）の裏面側である）が設けられている。位置決め部当接面７５の面は前記位置決め部当接面７３の面と略同一高さになるように設けられている。
【００２２】
また電子部品本体部収納部９１は、前記電子部品本体部２０を収納した際に、その周囲全体に所定の隙間が生じ、電子部品本体部２０が電子部品本体部収納部９１内で何れの方向にも所定の遊びを持って少しずつ移動できる寸法形状に形成されている。
【００２３】
また端子固定ケース９０を構成する成形樹脂内において端子接続パターン形成部１３０に接続された端子１７０の先端は、端子固定ケース９０の側壁７１の電子部品本体部収納部９１側の側面から突出し、上方向（操作部４７が突出する側）に向けて略直角に折り曲げられ、その先端が端子固定ケース９０の上面から上方向に突出するように構成されている。
【００２４】
一方フレキシブル基板１００の連結部１５０は、電子部品本体部２０と端子部７０とを機械的・電気的に連結する部分であり、その表面には機能パターン形成部１１０上に設けたスイッチパターンと、端子接続パターン形成部１３０上に設けた端子接続パターン間を連結する回路パターン１５１が設けられている。
【００２５】
次に図１に示す電子部品１０を組み立てるには、図１（ｂ）の矢印Ｂに示すように、電子部品本体部２０の下面側に端子部７０を折り返し、図２に示すように、端子部７０の電子部品本体部収納部９１内に電子部品本体部２０を収納する。このとき図３，図４に示すように、電子部品本体部２０の位置決め部４１の底面４１ａと位置決め部４３の底面４３ａとは、それぞれ端子固定ケース９０の位置決め部当接面７３と位置決め部当接面７５に当接することで電子部品本体部２０に対して端子部７０の上方向への移動が制限され、同時に端子部７０に設けた係合部材９３先端の爪の下面が電子部品本体部２０に設けた係合片３７の係合面３９にスナップインで係合（当接）することで、電子部品本体部２０に対して端子部７０の下方向への抜けが防止される。ここで位置決め部４１，４３と位置決め部当接面７３，７５間の係合は水平面での面接触による係合であって水平面方向に遊びがあり、同時に係合片３７，係合部材９３間の係合は係合部材９３の爪を係合片３７上端の平面状の係合面３９に係合することで行われるので、水平面方向に遊びがある。一方前述のように電子部品本体部２０の外周と端子部７０の内周間には隙間があるが、この隙間による遊びでは前記位置決め部４１，４３と位置決め部当接面７３，７５間の係合及び係合片３７，係合部材９３間の係合が何れも外れない寸法に形成している。従って電子部品本体部２０と端子部７０は、水平面方向に所定の遊びを有した状態で一体に係合されている。
【００２６】
つまりこの実施形態においては、係合片３７と係合部材９３が第一係合機構を構成し、位置決め部当接面７３と位置決め部４１の底面４１ａ、又は位置決め部当接面７５と位置決め部４３の底面４３ａとが第二係合機構を構成している。
【００２７】
以上のように本実施形態においては、端子部７０内に電子部品本体部２０を収納することによって電子部品１０を組み立てるので、電子部品１０の厚みの薄型化が図れる。また端子部７０の電子部品本体部収納部９１の内側面と電子部品本体部２０の外側面との間の隙間を利用することで容易に電子部品本体部２０と端子部７０間の遊びの量を調整できる。またこの実施形態においては、端子１７０を端子部７０に設けた電子部品本体部収納部９１側の側面から突出したので、端子１７０が電子部品１０の外周から外側に向けて突出せず、その外形の大型化を防止できる。
【００２８】
図５は以上のようにして組み立てた電子部品１０の一使用例を示す図である。同図に示す例においては、この揺動式電子部品１０を位置決め部材（以下この実施形態では「基板」という）５００上に載置し、その際端子部７０に設けた二本の係止爪９５を基板５００に設けた貫通孔からなる係止部５０１にスナップイン方式で挿入して遊びなく係止・固定する。このとき同時に、端子部７０から突出する複数本の端子１７０も基板５００に設けた貫通孔からなる複数個の挿入部５０３内に挿入される。そして基板５００裏面の各挿入部５０３の周囲の部分に設けた端子パターン５０５に各端子１７０を半田等によって固定する。
【００２９】
一方基板５００上に上記の如く取り付けられた揺動式電子部品１０上には位置決め部材（以下この実施形態では「ケース」という）５５０が被せられる。ケース５５０には電子部品本体部２０の操作部４７を挿入する開口部５５１と、電子部品本体部２０の各位置決め部４１，４３の開口に嵌合される突起状の係合部５５３（位置決め部４３側の係合部は図示せず）とが設けられており、開口部５５１に操作部４７を露出した際に各係合部５５３を各位置決め部４１，４３の開口に嵌入する。このとき基板５００とケース５５０の設置位置が、組み立て誤差等によってずれている場合があるが、前述のように基板５００に固定された端子部７０に対して電子部品本体部２０は面方向（水平面方向）に所定寸法移動可能に構成されているので、端子部７０に対して電子部品本体部２０の位置がずれることで、容易に各係合部５５３を各位置決め部４１，４３の開口に嵌合することができる。従って操作部４７を常に開口部５５１内の所定位置（通常は中央位置）に正確に位置させることができる。
【００３０】
そして図５に示すように開口部５５１に露出する操作部４７につまみ６００を取り付け、これを真下（矢印Ｃ方向）に向けて押圧すると、中央の反転板１０３が反転してそのスイッチ１０１がオンする。一方つまみ６００の周囲を押圧（矢印Ｄ方向）して操作部４７を傾ければ、揺動した側の反転板１０３が反転してそのスイッチ１０１がオンする。
【００３１】
〔第二実施形態〕
図６は本発明の第二実施形態にかかる電子部品（以下「揺動式電子部品」という）１０−２の側面図である。同図に示す揺動式電子部品１０−２も、第一実施形態の揺動式電子部品１０と同様に、第一電子部品部（以下「電子部品本体部」という）２０−２と第二電子部品部（以下「端子部」という）７０−２とをフレキシブル基板１００−２によって連結して構成されている。以下各構成部分について説明する。
【００３２】
電気回路を伴うフレキシブル基板１００−２はその一方側に前記第一実施形態の機能パターン形成部１１０と同等の図示しない機能パターン形成部を設け、他方側に前記第一実施形態の端子接続パターン形成部１３０と同等の端子接続パターン形成部１３０−２（図８参照）を設け、両者間を連結部（折り曲げ部）１５０−２で連結して構成されている。機能パターン形成部上面の所定の複数ヶ所には、図示はしないが第一実施形態と同様にスイッチパターン上に反転板（可動接点板）を取り付けることでスイッチが形成されている。そして機能パターン形成部にはケース３０−２が成形され且つケース３０−２に各種機能部品を取り付けることで電子部品本体部２０−２が構成され、一方端子接続パターン形成部１３０には端子固定ケース９０−２が成形されることで端子部７０−２が構成されている。
【００３３】
ここで図７はケース３０−２の部分を下面側から見た要部拡大斜視図である。同図及び図６に示すようにケース３０−２は、フレキシブル基板１００−２の機能パターン形成部の下面を覆う下面部３１−２と外周側面を覆う側面部３３−２とを具備し、これらによってその上部に収納部３５−２を形成している。またケース３０−２の外周近傍部分の１８０°対向する位置には上方向に向けて開口する二つの位置決め部４１−２，４３−２が設けられている。位置決め部４１−２の上面は円形の穴であり、位置決め部４３−２の上面は略矩形状の穴である。
【００３４】
またケース３０−２の下面部３１−２の底面（端子部７０−２との対向面）の略中央部分からは、係合機構（第一係合機構）である一本のフック３０５−２が突出して設けられている。フック３０５−２は下面部３１−２の底面から略筒状に突出し、その先端に下方向に凸となる略円錐台形状の係止部３０７−２を設けたものを突出方向に四つ割りにして各片に半径方向に撓む弾性を持たせて構成されている。一方下面部３１−２の底面のフック３０５−２の周囲には、小突起状の係合機構（第二係合機構）である４つのガイド部３０９−２が設けられている。各ガイド部３０９−２の内側側面（対向する側の側面）はガイド面３１１−２となっている。
【００３５】
そして前記ケース３０−２の収納部３５−２内に、揺動式電子部品を構成する各種機能部品、具体的にこの実施形態では前記第一実施形態と同じ図示しない揺動部材とスイッチ作動部材とが収納され、さらにケース３０−２の上面を図６に示すようにカバー６０−２によって覆う。その際カバー６０−２に設けた開口から操作部（レバー）４７−２が突出する。これによって電子部品本体部２０−２が構成され、操作部４７−２を真下に向けて押圧することでこれに対向するスイッチがオンし、操作部４７−２を揺動することで揺動して下降した側のスイッチがオンする。
【００３６】
次に図８，図９は端子部７０−２を示す要部拡大斜視図であり、図８は図６に示す端子部７０−２を上側から見た斜視図、図９は下側から見た斜視図である。これらの図及び図６に示すように端子部７０−２は、フレキシブル基板１００−２の一端部に端子固定ケース９０−２を成形することで構成されている。即ちフレキシブル基板１００−２の端部には、並列に六つの端子接続パターン１３１−２が設けられることで端子接続パターン形成部１３０−２が構成され、これら端子接続パターン１３１−２上に金属板製の端子１７０−２の一端を当接すると同時に、この接続部を内蔵するようにその周囲に成形樹脂製の端子固定ケース９０−２を成形することで、端子部７０−２が構成されている。そして端子部７０−２の略中央部分には円形であって前記フック３０５−２に係合する内形寸法の貫通孔からなる係合機構（第一係合機構）であるフック係合部７０１−２が設けられている。フック係合部７０１−２の内径寸法は、これに係合するフック３０５−２の根元部分の外形寸法よりも所定寸法大きく形成され、これによって係合した両者間で水平方向に所定の遊びが生じるようにしている。一方端子固定ケース９０−２の下面の前記フック係合部７０１−２の周囲には、略矩形状に突出する係合機構（第二係合機構）である４つのガイド係合部７０３−２が設けられている。各ガイド係合部７０３−２の外側側面はガイド面７０５−２となっている。これらガイド面７０５−２は、これらガイド係合部７０３−２の外側を跨ぐように前記ケース３０−２のガイド部３０９−２を設置した際に、対向する各ガイド面３１１−２とガイド面７０５−２間に所定の隙間、即ち所定の遊びが生じる寸法形状に形成されている。
【００３７】
また端子固定ケース９０−２を構成する成形樹脂内においてフレキシブル基板１００−２の端子接続パターン１３１−２に接続された端子１７０−２の先端は、端子固定ケース９０−２の外周側壁面から突出し、上方向に向けて略直角に折り曲げられている。
【００３８】
一方フレキシブル基板１００−２の連結部１５０−２は、電子部品本体部２０−２と端子部７０−２とを機械的・電気的に連結する部分であり、その表面には機能パターン形成部上に設けたスイッチパターンと、端子接続パターン形成部１３０−２上に設けた端子接続パターン１３１−２間を連結する回路パターン１５１−２が設けられている。
【００３９】
次に図６に示す電子部品１０−２を組み立てるには、図６の矢印Ｄに示すように、電子部品本体部２０−２の下面側に端子部７０−２を折り返して図１０に示すように、両者を重ね合わせる。このとき電子部品本体部２０−２に設けたフック３０５−２を端子部７０−２に設けたフック係合部７０１−２に挿入し、フック３０５−２の係止部３０７−２を端子部７０−２の下面側表面に係止することで両者をスナップイン係合にて一体に係合する。このとき同時に電子部品本体部２０−２の下面に設けた各ガイド部３０９−２の内側に端子部７０−２に設けたガイド係合部７０３−２を挿入する。これによって各ガイド面３１１−２，７０５−２同士が対向する。そしてフック３０５−２とフック係合部７０１−２との係合は上下方向には遊びがなく、水平面方向には所定の遊びがある係合であり、また各ガイド部３０９−２のガイド面３１１−２と各ガイド係合部７０３−２のガイド面７０５−２との対向も水平面方向に所定の遊びがある対向なので、電子部品本体部２０−２と端子部７０−２は、水平面方向に所定の遊びを有した状態で一体に係合される。なお各ガイド面３１１−２，７０５−２同士の対向によって、端子部７０−２に対して電子部品本体部２０−２が回転するのを防止している。
【００４０】
つまりこの実施形態においては、フック３０５−２とフック係合部７０１−２とによって第一係合機構が構成され、ガイド部３０９−２とガイド係合部７０３−２とによって第二係合機構が構成されている。
【００４１】
以上のように本実施形態においては、電子部品本体部２０−２と端子部７０−２間の係合機構を、電子部品本体部２０−２と端子部７０−２の対向面の略中央部分に設けたので、係合機構を電子部品本体部２０−２と端子部７０−２の外周に設ける必要がなく、外形寸法の小型化が図れる。
【００４２】
なお以上のようにして組み立てた電子部品１０−２の使用例は、前記図５に示す場合と略同一なので、その説明は省略する。
【００４３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば電子部品本体部２０（２０−２）は必ずしも揺動式電子部品用の電子部品本体部である必要はなく、回転式電子部品（回転式スイッチや回転式可変抵抗器等）用の電子部品本体部やスライド式電子部品（スライド式スイッチやスライド式可変抵抗器等）用の電子部品本体部等であっても良い。また上記実施形態では電子部品本体部２０（２０−２）と端子部７０（７０−２）とを所定の遊びを設けた状態で係合したが、係合するのは電子部品本体部２０（２０−２）と端子部７０（７０−２）の組み合わせに限定されず、他の種々の電子部品であっても良い。即ち分割された二つの部分（それぞれ別の位置決め部材に位置決めされる第一電子部品部と第二電子部品部）をフレキシブル基板で電気的に連結する構造であれば、どのような電子部品にも適用できる。また第一電子部品部と第二電子部品部の位置決め部材への位置決め構造も、上記実施形態の構造に限定されず、種々の変形が可能であることはいうまでもない。
【００４４】
また第一電子部品部と第二電子部品部間を所定の遊びを設けた状態で一体に係合する構造は、上記実施形態の構造に限定されず、種々の変形が可能である。
【００４５】
また上記第二実施形態においては、電子部品本体部２０−２側にフック３０５−２を形成し、端子部７０−２側にフック係合部７０１−２を形成したが、これらを互いに逆の部材に設けても良い。さらに電子部品本体部２０−２と端子部７０−２間を係合する係合機構は、フック３０５−２とフック係合部７０１−２に限定されず、他の種々の構造であっても良く、要は電子部品本体部２０−２と端子部７０−２間の係合機構は、電子部品本体部２０−２と端子部７０−２の対向面の略中央部分に設けてあれば、どのような構造であっても良い。
【図面の簡単な説明】
【００４６】
【図１】本発明の第一実施形態にかかる電子部品（揺動式電子部品）１０を展開して示す図であり、図１（ａ）は平面図、図１（ｂ）は側断面図である。
【図２】組み立てた電子部品１０を示す概略側断面図である。
【図３】組み立てた電子部品１０を示す平面図である。
【図４】組み立てた電子部品１０を示す斜視図である。
【図５】電子部品１０の一使用例を示す図である。
【図６】本発明の第二実施形態にかかる電子部品（揺動式電子部品）１０−２を展開して示す側面図である。
【図７】ケース３０−２の部分を下面側から見た要部拡大斜視図である。
【図８】端子部７０−２を示す要部拡大斜視図である。
【図９】端子部７０−２を示す要部拡大斜視図である。
【図１０】組み立てた電子部品１０−２を示す側面図である。
【符号の説明】
【００４７】
１０  電子部品（揺動式電子部品）
２０  第一電子部品部（電子部品本体部）
３０  ケース
３７  係合片（第一係合機構）
３９  係合面
４１，４３  位置決め部
４１ａ，４３ａ  底面（第二係合機構）
４５  揺動部材
４７  操作部
４９  押圧部
５０  スイッチ作動部材
６０  カバー
７０  第二電子部品部（端子部）
７３  位置決め部当接面（第二係合機構）
７５  位置決め部当接面（第二係合機構）
９０  端子固定ケース
９１  第一電子部品部収納部（電子部品本体部収納部）
９３  係合部材（第一係合機構）
９５  係止爪
１００  フレキシブル基板
１０１  スイッチ
１０３  反転板（可動接点板）
１１０  機能パターン形成部
１３０  端子接続パターン形成部
１５０  連結部
１７０  端子
５００  基板（位置決め部材）
５０１  係止部
５５０  ケース（位置決め部材）
１０−２  揺動式電子部品（電子部品）
２０−２  電子部品本体部（第一電子部品部）
３０−２  ケース
３５−２  収納部
４１−２，４３−２  位置決め部
６０−２  カバー
７０−２  端子部（第二電子部品部）
９０−２  端子固定ケース
１００−２  フレキシブル基板
１３０−２  端子接続パターン形成部
１３１−２  端子接続パターン
１５０−２  連結部（折り曲げ部）
１７０−２  端子
３０５−２  フック（第一係合機構）
３０７−２  係止部
３０９−２  ガイド部（第二係合機構）
３１１−２  ガイド面
７０１−２  フック係合部（第一係合機構）
７０３−２  ガイド係合部（第二係合機構）
７０５−２  ガイド面
【図１】
2006012513.tif 000003
【図２】
2006012513.tif 000004
【図３】
2006012513.tif 000005
【図４】
2006012513.tif 000006
【図５】
2006012513.tif 000007
【図６】
2006012513.tif 000008
【図７】
2006012513.tif 000009
【図８】
2006012513.tif 000010
【図９】
2006012513.tif 000011
【図１０】
2006012513.tif 000012